(57)【特許請求の範囲】
【請求項１】
回転軸(１)に取付ボス(２)を嵌め、この取付ボス(２)を介して回転軸(１)に巻き掛け伝動輪(３)を取り付けるに当たり、回転軸(１)にボス締結具(４)を取り付け、このボス締結具(４)の締結力で、このボス締結具(４)と回転軸(１)側の受け座(１ａ)との間に取付ボス(２)を挟み付けて固定し、巻き掛け伝動輪(３)に巻き掛け伝動帯(５)を巻き掛けたエンジンの巻き掛け伝動装置において、
上記取付ボス(２)を主取付ボス(２)とし、この主取付ボス(２)を巻き掛け伝動輪(３)とは別部品とし、主取付ボス(２)の前側にあるボス締結具(４)の前方で、巻き掛け伝動輪(３)に補助取付ボス(６)を設け、主取付ボス(２)に巻き掛け伝動輪(３)を連結し、主取付ボス(２)と補助取付ボス(６)とで巻き掛け伝動輪(３)を回転軸(１)に取り付けるに当たり、
ボス締結具(４)の前端から前方に回転軸(１)を突出させ、ボス締結具(４)の後方で回転軸(１)に主取付ボス(２)を嵌合させ、補助取付ボス(６)と主取付ボス(２)とを前後に離し、補助取付ボス(６)をボス締結具(４)の前端よりも前側で回転軸(１)に嵌合させ、
巻き掛け伝動輪(３)と補助取付ボス(６)とでボス締結具(４)を周囲と前方から覆った、ことを特徴とするエンジンの巻き掛け伝動装置。
【請求項２】
請求項１に記載したエンジンの巻き掛け伝動装置において、
補助取付ボス(６)の前端部を巻き掛け伝動輪(３)の前端よりも前方まで突出させた、ことを特徴とするエンジンの巻き掛け伝動装置。
【請求項３】
請求項１または請求項２に記載したエンジンの巻き掛け伝動装置において、
主取付ボス(２)は回転軸(１)に廻り止めし、補助取付ボス(６)も回転軸(１)に廻り止めした、ことを特徴とするエンジンの巻き掛け伝動装置。
【請求項４】
請求項１から請求項３のいずれかに記載したエンジンの巻き掛け伝動装置において、
主取付ボス(２)にフランジ(２ａ)を設け、このフランジ(２ａ)の後面に摩擦板(９)を沿わせ、
巻き掛け伝動輪(３)とフランジ(２ａ)とを貫通させた伝動輪連結ボルト(１０)をフランジ(９)側のメネジ孔(１１)に螺着させ、この伝動輪連結ボルト(１０)の締結力で巻き掛け伝動輪(３)と摩擦板(９)との間にフランジ(２ａ)を挟み付けて、主取付ボス(２)に巻き掛け伝動輪(３)を連結した、ことを特徴とするエンジンの巻き掛け伝動装置。
【請求項５】
請求項１から請求項４のいずれかに記載したエンジンの巻き掛け伝動装置において、
巻き掛け伝動輪(３)に複数の巻き掛け伝動帯(５ａ)(５ｂ)を捲き掛けた、ことを特徴とするエンジンの巻き掛け伝動装置。
【発明の詳細な説明】
【技術分野】
【０００１】
本発明は、エンジンの巻き掛け伝動装置に関し、詳しくは、ボス締結具が緩みにくく、ボス締結具の腐食が抑制される、エンジンの巻き掛け伝動装置に関する。
【背景技術】
【０００２】
従来、エンジンの巻き掛け伝動装置として、回転軸に取付ボスを嵌め、この取付ボスを介して回転軸に巻き掛け伝動輪を取り付けるに当たり、回転軸にボス締結具を取り付け、このボス締結具の締結力で、このボス締結具と回転軸側の受け座との間に取付ボスを挟み付けて固定し、巻き掛け伝動輪に巻き掛け伝動帯を巻き掛けたものがある。
この種の装置によれば、簡易な構造によって、回転軸と他の回転軸との間で動力の伝動ができる利点がある。
しかし、この従来技術では、巻き掛け伝動輪が１個所の取付ボスのみで回転軸に取り付けてられていることや、ボス締結具が巻き掛け伝動輪の前方に対して露出していることにより、問題が生じている。
【先行技術文献】
【特許文献】
【０００３】
【特許文献１】特開平７−１５８７２２号公報(図１参照)
【発明の概要】
【発明が解決しようとする課題】
【０００４】
《問題１》  ボス締結具が緩むことがある。
巻き掛け伝動輪が１個所の取付ボスのみで回転軸に取り付けてられているため、巻き掛け伝動帯の張力が強い場合には、巻き掛け伝動輪が回転軸の中心軸に対して傾斜し、ボス締結具が緩みやすい。
【０００５】
《問題２》  ボス締結具が腐食しやすい。
ボス締結具が巻き掛け伝動輪の前方に対して露出しているので、ボス締結具に泥水等がかかり、締結具が腐食しやすい。
【０００６】
本発明の課題は、ボス締結具が緩みにくく、ボス締結具の腐食が抑制される、エンジンの巻き掛け伝動装置を提供することにある。
【課題を解決するための手段】
【０００７】
請求項１に係る発明の発明特定事項は、次の通りである。
図１に例示するように、回転軸(１)に取付ボス(２)を嵌め、この取付ボス(２)を介して回転軸(１)に巻き掛け伝動輪(３)を取り付けるに当たり、回転軸(１)にボス締結具(４)を取り付け、このボス締結具(４)の締結力で、このボス締結具(４)と回転軸(１)側の受け座(１ａ)との間に取付ボス(２)を挟み付けて固定し、巻き掛け伝動輪(３)に巻き掛け伝動帯(５)を巻き掛けたエンジンの巻き掛け伝動装置において、
上記取付ボス(２)を主取付ボス(２)とし、この主取付ボス(２)を巻き掛け伝動輪(３)とは別部品とし、主取付ボス(２)の前側にあるボス締結具(４)の前方で、巻き掛け伝動輪(３)に補助取付ボス(６)を設け、主取付ボス(２)に巻き掛け伝動輪(３)を連結し、主取付ボス(２)と補助取付ボス(６)とで巻き掛け伝動輪(３)を回転軸(１)に取り付けるに当たり、
ボス締結具(４)の前端から前方に回転軸(１)を突出させ、ボス締結具(４)の後方で回転軸(１)に主取付ボス(２)を嵌合させ、補助取付ボス(６)と主取付ボス(２)とを前後に離し、補助取付ボス(６)をボス締結具(４)の前端よりも前側で回転軸(１)に嵌合させ、
巻き掛け伝動輪(３)と補助取付ボス(６)とでボス締結具(４)を周囲と前方から覆った、ことを特徴とするエンジンの巻き掛け伝動装置。
【発明の効果】
【０００８】
(請求項１または請求項２に係る発明)
請求項１または請求項２に係る発明は、次の効果を奏する。
《効果１》   ボス締結具が緩みにくい。
主取付ボス(２)を巻き掛け伝動輪(３)とは別部品とし、主取付ボス(２)の前側にあるボス締結具(４)の前方で、巻き掛け伝動輪(３)に補助取付ボス(６)を設け、主取付ボス(２)に巻き掛け伝動輪(３)を連結し、主取付ボス(２)と補助取付ボス(６)とで巻き掛け伝動輪(３)を回転軸(１)に取り付けるに当たり、ボス締結具(４)の前端から前方に回転軸(１)を突出させ、ボス締結具(４)の後方で回転軸(１)に主取付ボス(２)を嵌合させ、補助取付ボス(６)と主取付ボス(２)とを前後に離し、補助取付ボス(６)をボス締結具(４)の前端よりも前側で回転軸(１)に嵌合させているので、巻き掛け伝動帯(５)の張力が強い場合でも、巻き掛け伝動輪(３)が回転軸(１)に対して傾斜しにくく、ボス締結具(４)が緩みにくい。
【０００９】
《効果２》   ボス締結具の腐食が抑制される。
巻き掛け伝動輪(３)と補助取付ボス(６)とでボス締結具(４)を周囲と前方から覆っているので、ボス締結具(４)に泥水等がかかりにくく、ボス締結具(４)の腐食が抑制される。
【００１０】
(請求項３に係る発明)
請求項３に係る発明は、請求項１または請求項２に係る発明の効果に加え、次の効果を奏する。
《効果３》  主取付ボスの廻り止めの負担が軽減される。
主取付ボス(２)は回転軸(１)に廻り止めし、補助取付ボス(６)も回転軸(１)に廻り止めしたので、主取付ボス(２)の廻り止めの負担が軽減される。主取付ボス(２)の廻り止めの負担が軽減される。
【００１１】
(請求項４に係る発明)
請求項４に係る発明は、請求項１から請求項３のいずれかに係る発明の効果に加え、次の効果を奏する。
《効果４》  伝動輪連結ボルトの破断が防止される。
主取付ボス(２)にフランジ(２ａ)を設け、このフランジ(２ａ)の後面に摩擦板(９)を沿わせ、巻き掛け伝動輪(３)とフランジ(２ａ)とを貫通させた伝動輪連結ボルト(１０)をフランジ(２ａ)側のメネジ孔(１１)に螺着させ、この伝動輪連結ボルト(１０)の締結力で巻き掛け伝動輪(３)と摩擦板(９)との間にフランジ(２ａ)を挟み付けて、主取付ボス(２)に巻き掛け伝動輪(３)を連結したため、巻き掛け伝動帯(５)の張力が強く、巻き掛け伝動帯(５)と巻き掛け伝動輪(３)との間の摩擦抵抗が大きい場合でも、フランジ(２ａ)の後面に沿わせた摩擦板(９)により、巻き掛け伝動輪(３)とフランジ(２ａ)との間で十分な滑り止めがなされ、これらの滑りに起因する伝動輪連結ボルト(１０)の破断が防止される。
【００１２】
(請求項５に係る発明)
請求項５に係る発明は、請求項１から請求項４のいずれかに係る発明の効果に加え、次の効果を奏する。
《効果５》  上記効果が顕在化する。
巻き掛け伝動輪(３)に複数の巻き掛け伝動帯(５ａ)(５ｂ)を捲き掛けた場合には、捲き掛け伝動帯(５)の張力が強い場合の課題解決の効果、すなわち上記効果１、３、４が顕在化する。
【図面の簡単な説明】
【００１３】
【図１】本発明の実施形態に係るエンジンの捲き掛け伝動装置を説明する縦断側面図である。
【発明を実施するための形態】
【００１４】
図１は本発明の実施形態に係るエンジンの捲き掛け伝動装置を説明する縦断側面図であり、この実施形態では、ディーゼルエンジンのベルト伝動装置について説明する。
【００１５】
このベルト伝動装置の概要は、次の通りである。
回転軸(１)に取付ボス(２)を嵌め、この取付ボス(２)を介して回転軸(１)に巻き掛け伝動輪(３)を取り付けるに当たり、回転軸(１)にボス締結具(４)を取り付け、このボス締結具(４)の締結力で、このボス締結具(４)と回転軸(１)側の受け座(１ａ)との間に取付ボス(２)を挟み付けて固定し、巻き掛け伝動輪(３)に巻き掛け伝動帯(５)を巻き掛けている。
回転軸(１)はクランク軸である。捲き掛け伝動輪(３)はベルト伝動プーリである。ボス締結具(４)はボス締結ナットである。回転軸(１)側の受け座(１ａ)はクランク軸の径大部の端面である。後述するカラー(１５)やクランクギヤ(１６)をクランク軸に締まり嵌めで固定している場合には、このカラー(１５)やクランクギヤ(１６)が回転軸(１)側の受け座(１ａ)となる。捲き掛け伝動帯(５)は、エンジン冷却ファン(図外)とコンプレッサ(図外)にそれぞれクランク軸の動力を伝動するファンベルト(５ａ)とコンプレッサ連動ベルト(５ｂ)である。コンプレッサ連動ベルト(５ｂ)に代えて、コンバインのグレンタンクのスクリューコンベア駆動ベルト等の他の連動ベルトを用いてもよい。捲き掛け伝動輪(３)をスプロケットとし、捲き掛け伝動帯(５)をチェーンとしてもよい。
【００１６】
上記取付ボス(２)を主取付ボス(２)とし、この主取付ボス(２)を巻き掛け伝動輪(３)とは別部品とし、主取付ボス(２)の前側にあるボス締結具(４)の前方で、巻き掛け伝動輪(３)に補助取付ボス(６)を設け、主取付ボス(２)に巻き掛け伝動輪(３)を連結し、主取付ボス(２)と補助取付ボス(６)とで巻き掛け伝動輪(３)を回転軸(１)に取り付けるに当たり、ボス締結具(４)の前端から前方に回転軸(１)を突出させ、ボス締結具(４)の後方で回転軸(１)に主取付ボス(２)を嵌合させ、補助取付ボス(６)と主取付ボス(２)とを前後に離し、補助取付ボス(６)をボス締結具(４)の前端よりも前側で回転軸(１)に嵌合させ、巻き掛け伝動輪(３)と補助取付ボス(６)とでボス締結具(４)を周囲と前方から覆っている。補助取付ボス(６)の前端部を巻き掛け伝動輪(３)の前端よりも前方まで突出させている。
【００１７】
主取付ボス(２)は回転軸(１)にキー(７)で廻り止めし、補助取付ボス(６)は回転軸(１)にスプライン(８)で廻り止めしている。主取付ボス(２)にフランジ(２ａ)を設け、このフランジ(２ａ)の後面に摩擦板(９)を沿わせ、巻き掛け伝動輪(３)とフランジ(２ａ)とを貫通させた伝動輪連結ボルト(１０)をフランジ(９)側のメネジ孔(１１)に螺着させ、この伝動輪連結ボルト(１０)の締結力で巻き掛け伝動輪(３)と摩擦板(９)との間にフランジ(２ａ)を挟み付けて、主取付ボス(２)に巻き掛け伝動輪(３)を連結している。
【００１８】
捲き掛け伝動輪(３)は、補助取付ボス(６)とリム(１２)とをアーム(１３)で連結したもので、アーム(１３)は円錐台形に形成し、その内部にボス締結具(４)を収容している。摩擦板(９)は円環形で、主取付ボス(２)に嵌め、止め輪(１４)で抜け止めしている。ボス締結具(４)と回転軸(１)の受け座(１ａ)との間には取付ボス(２)だけでなく、カラー(１５)とクランクギヤ(１６)も配置し、これらも取付ボス(２)とともに、ボス締結具(４)の締結力で巻き掛け伝動輪(３)と摩擦板(９)との間に挟み付けている。カラー(１５)には、ギヤケース(１７)のオイルシール(１８)を接当させている。
【符号の説明】
【００１９】
(１) 回転軸
(１ａ) 受け座
(２) 主取付ボス
(２ａ) フランジ
(３) 巻き掛け伝動輪
(４) ボス締結具
(５) 巻き掛け伝動帯
(５ａ) ファンベルト
(５ｂ) コンプレッサ連動ベルト
(６) 補助取付ボス
(７) キー
(８) スプライン
(９) フランジ
(１０) 伝動輪連結ボルト
(１１) メネジ孔
【図１】
0005265037.tif 000002